(57)【要約】  フルーツジュース、ヨーグルト、果実または野菜ピューレなどの一般に食品用途の液体または半濃縮物質用の可撓性ポーチ（１００）用の注ぎ口（１）であって、並進可能な閉塞体（４４）と、前記閉塞体を閉じた状態に保つための弾性手段とを有する閉塞体デバイス（４０）を有する、注ぎ口（１）。【選択図】図２
2017508682.tif 000002
【特許請求の範囲】
【請求項１】
フルーツジュース、ヨーグルト、果実または野菜ピューレなどの一般に食品用途の液体または半濃縮物質用の可撓性ポーチ（１００）用の注ぎ口（１）であって、内容物の退出用の開口部（１２）と、前記ポーチからの前記内容物の入口用の入口（１０）とを有し、
−  長手方向軸（Ｘ）に沿って延び、前記開口部（１２）が設けられたチューブ（１８）と、
−  前記チューブ（１８）内に収容された弁手段であって、前記弁手段上に働く作用が、所定の抵抗作用より小さい場合、前記内容物の退出を防止し、前記弁手段上に働く前記作用が所定の抵抗作用より大きい場合、前記内容物の退出を可能にするのに適する、弁手段とを備え、
前記弁手段が、
ｉ）前記チューブ（１８）内に、前記入口（１０）からアクセス可能である上方向ライン（３０ａ）と、前記開口部（１２）が設けられた下方向ライン（３０ｂ）とを特定する、貫通閉塞体ハウジング（３０）と、
ｉｉ）前記閉塞体ハウジング（３０）と係合可能な並進可能な閉塞体（４４）と、前記閉塞体（４４）上で永久的に作動して、これを閉鎖作用によって前記閉塞体ハウジング（３０）の閉位置に保つのに適した弾性手段とを備える、閉塞体デバイス（４０）とを備える、注ぎ口。
【請求項２】
前記閉塞体デバイス（４０）が、所定の抵抗作用より大きい、前記下方向ライン（３０ｂ）内に働く押圧によって実施される開放作用の影響の下、前記閉塞体ハウジング（３０）から係合解除するのに適している、請求項１に記載の注ぎ口。
【請求項３】
前記閉塞体デバイス（４０）が、所定の抵抗作用より大きい、前記上方向ライン（３０ａ）内に働く過剰圧力によって実施される開放作用の影響の下、前記閉塞体ハウジング（３０）から係合解除するのに適している、請求項１に記載の注ぎ口。
【請求項４】
前記弾性手段が、軸方向に延びる少なくとも１つの圧縮可能な細長い部材（５０）を備える、請求項１から３のいずれか一項に記載の注ぎ口。
【請求項５】
前記弾性手段が、前記長手方向軸（Ｘ）に対して対称的である２つの細長い部材（５０）からなる、請求項４に記載の注ぎ口。
【請求項６】
前記細長い部材（５０）が、前記長手方向軸（Ｘ）の周りでらせんパターンで巻き上がる、請求項４または５に記載の注ぎ口。
【請求項７】
前記細長い部材（５０）が、前記長手方向軸（Ｘ）の周りで円錐らせンパターンで巻き上がる、請求項６に記載の注ぎ口。
【請求項８】
前記細長い部材（５０）の長手方向セクションが、台形の形状を有し、外側縁（６２）は、直線状であり、内側縁（６４）は、直線状であり、かつ前記外側縁（６１）に対して平行であり、下側（６６）および上側（６８）の縁は、直線状である、請求項７に記載の注ぎ口。
【請求項９】
各々の細長い部材（５０）が、外側表面（５０ａ）と、内側表面（５０ｂ）とを有し、前記外側表面（５０ａ）は、単一の想像上の外側円錐表面上に位置し、前記内側表面（５０ｂ）は、単一の想像上の内側円錐表面上に位置する、請求項４から８のいずれか一項に記載の注ぎ口。
【請求項１０】
前記閉塞体デバイス（４０）が、前記閉塞体ハウジング（３０）に対して前記閉塞体（４４）の閉位置を画定するように当接するのに適したレッジ（４６）を備える、請求項１から９のいずれか一項に記載の注ぎ口。
【請求項１１】
前記閉塞体デバイス（４０）が、前記閉塞体ハウジング（３０）に対して前記閉塞体（４４）の並進を案内するのに適したガイド本体（４８）を備える、請求項１から１０のいずれか一項に記載の注ぎ口。
【請求項１２】
前記ガイド本体（４８）が、径方向に延びる複数のタブ（５０）を備え、前記複数のタブ（５０）は、前記閉塞体ハウジング（３０）と係合状態にある前記閉塞体（４４）の前記外側表面（４４ａ）に対して径方向内部のガイド限定表面（５２）内で外に向けて終端する、請求項１１に記載の注ぎ口。
【請求項１３】
前記ガイド本体（４８）が、角度を付けて等しく離間された３つのタブ（５０）を備える、請求項１２に記載の注ぎ口。
【請求項１４】
前記閉塞体デバイス（４０）が、前記弾性手段のための当接部を提供する当接部材（７０）を備える、請求項１から１３のいずれか一項に記載の注ぎ口。
【請求項１５】
前記当接部材（７０）が、外向きに径方向に突出する、前記チューブ（１８）の内側に前記当接部材（７０）をロックするのに適した、複数の安全突出部（７２）を備える、請求項１４に記載の注ぎ口。
【請求項１６】
前記弁手段が、前記閉塞体デバイス（４０）を前記チューブ（１８）の内側に保持するための保持手段を備える、請求項１から１５のいずれか一項に記載の注ぎ口。
【請求項１７】
前記保持手段が、前記チューブ（１８）内の前記閉塞体デバイス（４０）のスナップ式係合のために前記当接部材（７０）のための切り下げ部を生成するのに適した、環状突出部（８０）を備える、請求項１４および１６に記載の注ぎ口。
【請求項１８】
前記閉塞体デバイス（４０）が、たとえばプラスチック材料で型成形することによって一体型で作製される、請求項１から１７のいずれか一項に記載の注ぎ口。
【請求項１９】
ポーチ−注ぎ口組立体であって、
−  縁に沿って接着された多層材料の２つのフィルム（１０２）からなる可撓性ポーチ（１００）と、
−  接着によって前記ポーチに接合された、請求項１から１８のいずれか一項によって作製された注ぎ口（１）とを備える、ポーチ−注ぎ口組立体。
【請求項２０】
ポーチ−注ぎ口組立体の販売の準備のための方法であって、
−  可撓性ポーチ（１００）と、前記ポーチに接合され、弁手段を有さない注ぎ口（１）とを備える組立体を提供するステップと、
−  前記組立体に、前記注ぎ口（１）から食品液体を充填するステップと、
−  閉塞体デバイスを前記注ぎ口のチューブ（１８）の内側の前記注ぎ口（１）にスナップ式に付けるステップと、
−  キャップ（２００）を前記注ぎ口（１）に付けるステップとを含む、方法。
【発明の詳細な説明】
【技術分野】
【０００１】
本発明は、フルーツジュース、ヨーグルト、果実または野菜ピューレなどの一般に食品用途の液体または半濃縮物質用のポーチ用の注ぎ口に関する。
【背景技術】
【０００２】
特に、両方のタイプの内容物および便宜のためのそのようなポーチの使用は、子供の中で特に流行っている。
【０００３】
パッケージを、たとえば支持表面上に偶発的に落下させて、内容物の望ましくない流出を引き起こすことを防止するために、可撓性ポーチ用の注ぎ口のいくつかの知られている解決策は、注ぎ口に挿入された弁デバイスを提供する。
【０００４】
しかし、弁デバイスを備えたそのような注ぎ口を使用することは、時に不快であり、または目的に適さないことがある。
【０００５】
実際、子供は、可撓性容器を潰すことにより、または注ぎ口から吸引することにより、また、時々ではあるがこれら２つのことを一緒に行うことにより、ポーチから内容物を絞り出す傾向がある。従来技術の弁デバイスを備えた飲料注ぎ口は、時に、堅すぎて楽に内容物を吸引することができないことがあり、または不安定すぎて、内容物がポーチから偶発的に漏れることがある。
【発明の概要】
【発明が解決しようとする課題】
【０００６】
本発明の目的は、従来技術の欠点を克服し、上記で述べた必要性を満たすことができる弁デバイスを備えたポーチ用の注ぎ口を提供することである。
【課題を解決するための手段】
【０００７】
本目的は、請求項１によって作製された注ぎ口によって達成される。
【０００８】
本発明による注ぎ口の特性および利点は、添付の図にしたがって、非限定的な例としてのみ与えられた以下の説明から明白になるであろう。
【図面の簡単な説明】
【０００９】
【図１】本発明による注ぎ口が設けられたポーチ−注ぎ口組立体の図である。
【図２】本発明による弁手段を備える閉塞体デバイスが設けられた、図１の注ぎ口の分解図である。
【図３】図２の注ぎ口の側面図である。
【図４】図３のテーブルおよび調整可能な脚部の側面図である。
【図５】図４の断面線Ｖ−Ｖに沿った、図３の注ぎ口の上方から見た平面図である。
【図６】図２の閉塞体デバイスの側面図である。
【図７】図６の閉塞体デバイスの下方から見た平面図である。
【図８】図７の断面線Ｖ−Ｖに沿った、図６の閉塞体デバイスの断面図である。
【図９】図８の詳細ＩＸの拡大図である。
【発明を実施するための形態】
【００１０】
添付の図１を参照すれば、全体的に、ポーチ用の注ぎ口、特に可撓性ポーチ１００用の注ぎ口を示す。
【００１１】
たとえば、可撓性ポーチ１００は、縁に沿って接着された多層材料の２つのフィルム１０２からなる。
【００１２】
別の実施形態によると、ポーチは、通常、これもまた多層フィルムで作製された横方向のベローズ側部を提供する。
【００１３】
注ぎ口１は、長手方向軸Ｘにほぼ沿って延び、ポーチ１００の内側に留まる部分から外側にかけて、入口部分２と、連結部分４と、最終部分６とを備える。
【００１４】
内部には、注ぎ口１は、たいていは円形の円筒形状である導管８を備え、導管８は、長手方向軸Ｘに沿って、入口２の口１０と、長手方向軸Ｘに対して垂直であるクラウン１２ａによって環状的に境界付けられた、最終部分６の開口部１２との間を延びる。
【００１５】
連結部分４は、好ましくは、端部において接合された、長手方向軸Ｘに対して垂直である方向に広がった延長部を備えて、対向する壁１４の対によって形成される。これらの壁は、ポーチ１００のフィルムと結合するよう意図された２つの外方向に係合する表面１６を形成する。
【００１６】
好ましくは、係合表面１６は、接着することによってフィルム１０２に接合され、こうしてポーチ−注ぎ口組立体を形成する。
【００１７】
最終部分６は、長手方向軸Ｘに沿って導管８と同軸状に延びるチューブ１８を備える。
【００１８】
一実施形態によれば、最終部分６は、さらに、たとえば中断されたねじ切り部のセクションによって実現される、キャップ２００をねじ込むためのねじ切り部２０を備える。
【００１９】
一変形実施形態によれば、チューブは、キャップとの安定した圧力結合または嵌合に適している。
【００２０】
好ましくは、注ぎ口１用のキャップ２００は、外側環状壁２０２を備え、外側環状壁２０２は、たとえば、チューブ１８を取り囲み、注ぎ口１のねじ切り部２０との係合のためのねじ切り部が設けられる。
【００２１】
外側環状壁２０２の一方の端部では、キャップ２００は、さらに、開口部１２を閉じるのに適した底部２０４と、他方の端部には、開封明示シール２０６とを備える。
【００２２】
好ましくは、さらに、キャップ２００は、底部２０４から軸方向に突出する環状シーリングリップ２０８を含み、この環状シーリングリップ２０８は、開口部１２を通ってチューブ１８内に貫入することに適しており、それによってチューブ１８と共にシールを形成する。
【００２３】
好ましくは、注ぎ口１の最終部分６は、キャップ２００の開封明示シール２０６と係合するのに適した係合部分２２を備えて、前記開封明示シールの回転防止拘束を実現する。
【００２４】
注ぎ口の係合部分と係合可能な開封明示シールが設けられたキャップが設けられた注ぎ口の実施形態の一例が、本出願人の名の下で授与された欧州特許第２０７６４４８号明細書に説明され、その説明は、教示として本明細書に組み込まれる。
【００２５】
注ぎ口１は、チューブ１８内に収容された弁手段を備え、この弁手段は、前記弁手段上に働く作用が、所定の作用より小さい場合、ポーチからの内容物の退出を防止し、前記弁手段上に働く作用が、所定の作用より大きい場合、内容物の退出を可能にするのに適している。
【００２６】
前記弁手段は、チューブ１８内、たとえば注ぎ口１の最終部分６内に置かれた閉塞体ハウジング３０を備える。たとえば、閉塞体ハウジング３０は、チューブ１８の内側表面から内部に径方向に突出する、環状ハウジング３２の壁によって実現される。前記閉塞体ハウジング３０は、注ぎ口１の口１０からポーチ１００の内部と連通するチューブ１８内の上方向ライン３０ａと、注ぎ口１の開口部１２から外部環境と連通する、下方向ライン３０ｂとを特定する。
【００２７】
好ましくは、前記ハウジング壁３２は、チューブ１８と一体化して作製される。
【００２８】
さらに、弁手段は、チューブ１８内に収容された感知性閉塞体デバイス４０を備え、感知性閉塞体デバイス４０は、閉塞体ハウジング３０と係合可能であり、それによって内容物によって及ぼされた前記作用にしたがって前記閉塞体ハウジング４０を閉じ、または開く。
【００２９】
閉塞体デバイス４０は、閉塞体ハウジング３０内にシール式に係合可能であるとともに、閉塞体４４を備える閉塞体グループ４２を備え、閉塞体４４は、たとえば、接触によってハウジング壁３２と係合する外側円錐台表面４４ａが設けられた環状壁によって実現される。
【００３０】
さらに、閉塞体グループ４２は、たとえばプレートによって実現される当接部４６を備え、この当接部４６は、たとえばハウジング壁３２と当接して、閉塞体ハウジング３０に対する閉塞体４４の閉位置を画定するように当接するのに適している。
【００３１】
好ましい実施形態によると、閉塞体４４は、内容物の出力の方向に対して当接部４６の上流側に、たとえば前記当接部４６から軸方向に突出して置かれる。
【００３２】
加えて、閉塞体グループ４２は、閉塞体ハウジング３０に対する閉塞体４４の並進を案内するのに適したガイド本体４８を備える。
【００３３】
たとえば、ガイド本体４８は、閉塞体４４の上流側で作動し、前記閉塞体４４に対して軸方向に突出する。好ましくは、前記ガイド本体４８は、当接部４６から軸方向に突出する。
【００３４】
好ましくは、ガイド本体４８は、径方向に延びる複数のタブ５０を備え、これらのタブ５０は、閉塞体ハウジング３０と係合状態にある閉塞体４４の外側表面４４ａに対して径方向内部にあるガイド限定表面５２内で外に向けて終端する。
【００３５】
たとえば、ガイド限定表面５２は、外側表面４４ａ対して軸方向に側面に立ち、円錐台状であり、前記外側表面４４ａと等しいスロープを有する第１の部分５２ａと、上流側の第１の部分５２ａに対して軸方向に側面に立ち、円錐台状であり、外側表面４４ａのものより険しい、より険しいスロープを有する第２の部分５２ｂとを有する。
【００３６】
好ましくは、ガイド本体４８は、角度を付けて等しく離間された３つのタブ５０を備える。
【００３７】
閉塞体デバイス４０は、さらに、弾性手段を備え、この弾性手段は、閉塞体グループ４２上で永久的に作動して、これを閉鎖作用によって閉塞体ハウジング３０の閉位置に保つ。
【００３８】
好ましい実施形態によれば、前記弾性手段は、少なくとも１つの細長い部材５０を備え、この細長い部材５０は、軸方向に、たとえば閉塞体グループ４２の下流側を圧縮可能に延びる。
【００３９】
たとえば、細長い部材５０は、閉塞体グループ４２から、たとえば当接部４６から軸方向に延び、好ましくは、らせん方向に、たとえば円錐に、長手方向軸Ｘの周りに巻き付けられる。換言すれば、細長い要素５０は、長手方向軸Ｘに沿ってねじられる。
【００４０】
好ましくは、前記弾性手段は、長手方向軸Ｘに対して対称的に配置された、細長い要素５０の対を備える。
【００４１】
好ましい実施形態によれば、細長い部材５０の長手方向セクション（図９）、すなわち長手方向軸Ｘを含む想像上の断面平面を貫通して得ることができる断面は、多角形形状、好ましくは四角形、特に台形を有し、この場合、外側縁６２は直線状であり、内側縁６４は直線状であり、外側縁６２に対して平行であり、下側６６および上側６８の縁は直線状である。
【００４２】
さらに、各々の細長い要素５０は、（想像上の平面と共に細長い要素５０によって形成された複数の細長いセクションの前記外側縁６２が位置する）外側表面５０ａと、（想像上の平面と共に細長い要素５０によって形成された複数のセクションの前記内側縁６４が位置する）内側表面５０ｂとを有する。
【００４３】
前記外側表面５０ａは、単一の想像上の円錐外側表面上に位置し、同じようにして、前記内側表面５０ａは、単一の想像上の円錐内側表面上に位置する。
【００４４】
加えて、好ましくは、閉塞体デバイス４０は、弾性手段のための当接部を提供する当接部材７０を備える。
【００４５】
たとえば、当接部材は、リングから作製され、たとえば型成形によって前記細長い要素５０と一体型で形成される。
【００４６】
好ましくは、前記当接部材７０は、外向きに径方向に突出する、チューブ１８の内側に当接部材７０をロックするのに適した、複数の安全突出部７２を備える。
【００４７】
好ましくは、閉塞体デバイス４０は、たとえば型成形によって、一体型で作製される。
【００４８】
加えて、弁手段は、閉塞体デバイス４０をチューブ１８の内側に保持するための保持手段を備える。
【００４９】
たとえば、前記保持手段は、たとえば開口部１２に近接して置かれた環状突出部８０を備え、この環状突出部８０は、チューブ１８内の当接部７０のスナップ係合のための切り下げ部を生み出すのに適している。前記環状突出部８０は、チューブ１８の内側表面から内部に径方向に突出する。
【００５０】
好ましくは、前記環状突出部８０は、チューブ１８と一体型で作製される。
【００５１】
パッキング１００を充填し、閉じるために、閉塞体デバイス４０を有さない、注ぎ口１が設けられたパッキング１００が、充填機械まで持っていかれ、充填機械はこれを所望の内容物で充填する。
【００５２】
その後、閉塞体デバイス４０が、チューブ１８内に挿入され、それにより、閉塞体グループ４２は、閉塞体ハウジング３０と係合し、特に、閉塞体４４は閉塞体ハウジング３０を閉じ、当接部４６はハウジング壁３２と当接する。
【００５３】
加えて、当接要素７０は、環状突出部８０に対して切り下げ部内にスナップ嵌合し、こうしてチューブ１８内にロックされたままになる。
【００５４】
最後に、キャップ２００が、チューブ１８に付けられ、注ぎ口にねじ込まれる。
【００５５】
静止形状において、閉塞体４４は、閉塞体ハウジング３０とシール式に係合し、当接部４６と当接要素７０の間に圧縮して置かれた弾性手段によって及ぼされる閉鎖力を受ける。
【００５６】
可撓性ポーチ１００の通常の使用中、キャップ２００は、たとえばねじをゆるめて、飲料注ぎ口から係合解除される。
【００５７】
子供がポーチの内容物を飲もうとした場合、チューブを口に持っていき、たとえば内容物を吸引する。これにより、チューブ１８内において、閉塞体４４の下流側に低い圧力が引き起こされ、この圧力は、閉塞体４４上に外部開放作用を生成し、そのような外部作用が、弾性手段の閉鎖作用に打ち勝ったとき、閉塞体４４は、移動し、閉塞体ハウジング３０から係合解除し（たとえば、これから持ち上がり）、ポーチからの内容物の退出を可能にする。
【００５８】
したがって、閉塞体デバイス４０は、弾性手段の所定の閉鎖作用より大きい、下方向ライン３０ｂ内に働く押圧によって実施される開放作用の影響の下、閉塞体ハウジング３０から係合解除するのに適している。
【００５９】
同様に、子供はチューブを口に持っていき、可撓性ポーチを絞り出す可能性がある。これにより、チューブ１８内において、閉塞体４４の上流側に過剰圧力が引き起こされ、この圧力は、閉塞体４４上に内部開放作用を生成し、そのような内部作用が弾性手段の閉鎖作用に打ち勝ったとき、閉塞体４４は、閉塞体ハウジング３０から係合解除し（たとえば、これから持ち上がり）、ポーチからの内容物の退出を可能にする。
【００６０】
したがって、閉塞体デバイス４０は、弾性手段の所定の閉鎖作用より大きい、上方向ライン３０ａ内に働く過剰圧力によって実施される開放作用の影響の下、閉塞体ハウジング３０から係合解除するのに適している。
【００６１】
一般的に、子供は、チューブを口に持っていき、チューブ１８からそのように吸引し、それと同時に可撓性ポーチを絞り出す可能性がある。この場合、閉塞体４４は、低圧の外部作用および内部の押しつぶし作用の両方を受ける。
【００６２】
閉塞体が閉塞体ハウジングから係合解除される開放形状では、外側に向かう内容物の流れは、最初限定され、その後、閉塞体が閉塞体ハウジングから完全に出た後、ガイドグループは、タブ５０を通る、通過用導管を実現し、これは、内容物の退出を容易にする。
【００６３】
閉塞体ハウジングから閉塞体をさらに離すこと、ならびに、前進、その後閉塞体ハウジングとの係合は、いずれの場合も、ガイド本体によって案内され、このとき開放作用は止まる。
【００６４】
可撓性ポーチはまた、偶発的に、または子供が内容物を飲む位置によってはひっくり返る可能性もあり、この場合、内容物の重量が、前記閉塞体４４上に内部の開放作用を生成し、弾性手段は、内容物の重量のみによる外部作用では、弾性手段によって及ぼされた閉鎖作用に打ち勝つことができないように構造化され寸法設定される。
【００６５】
革新的なことには、本発明による注ぎ口は、これが、特に、子供が注ぎ口からポーチの内容物を吸引するとき、また子供がポーチを絞り出すときの両方で使用することが特に快適であるという点で、従来技術の欠点を克服する。
【００６６】
有利には、さらに、注ぎ口は、作動において非常に信頼高いものであり、これは、閉塞体ハウジングからの閉塞体の係合解除、ならびにその後の係合が、タブの外側表面の形状によって実現される誘因によっても、適切に案内されるためである。
【００６７】
別の有利な態様によると、注ぎ口は、使用するのが安全であり、その理由は、閉塞体デバイスは、チューブ内に挿入され、環状突出部および安全突出部を備えた当接部材によって作り出された切り下げ部によって内側にロックされるためである。
【００６８】
有利には、さらに、閉塞体デバイスが型成形によって得ることができるため、注ぎ口の生産は経済的である。
【００６９】
当業者が、特有の必要性を満たすために、特許請求の範囲によって規定された保護の範囲内にすべて含まれる変更を、上記で説明した注ぎ口に加えることができることが、明確である。
【図１】
2017508682.tif 000003
【図２】
2017508682.tif 000004
【図３】
2017508682.tif 000005
【図４】
2017508682.tif 000006
【図５】
2017508682.tif 000007
【図６】
2017508682.tif 000008
【図７】
2017508682.tif 000009
【図８】
2017508682.tif 000010
【図９】
2017508682.tif 000011
【国際調査報告】
2017508682.tif 000012
2017508682.tif 000013
2017508682.tif 000014